(57)【要約】      （修正有）【課題】拡声機能と照明機能を一つに整合し、照明具を遠隔無線制御し、投光及び音声を発するセントラルインテリジェンス整合のスピーカーを備えた照明具を提供する。【解決手段】照明具は、後筐１０、前筐２０、スピーカー３０、発光モジュール４０、伝送モジュール５０、制御処理モジュール６０を含む。後筐は開口を備え、前筐は後筐の開口に固定し、前筐と後筐の間にはスピーカーが設置され、前筐中央には後筐方向に向けて照明孔２１を凹型に成形する。照明孔に近い周辺縁には複数個の音孔２２を穿設する。発光モジュールは照明孔に設置する。伝送モジュールは連結信号を発し、電子装置を探し、電子装置は無線で制御指令を伝送モジュールへ伝送する。制御処理モジュールはスピーカー、発光モジュール及び伝送モジュールを電気連接し、伝送モジュールからの制御指令に基づきスピーカーと発光モジュールを始動し、発光すると共に電子装置がプレイする音源を出力する。【選択図】図２
0003196844.tif 000002
【実用新案登録請求の範囲】
【請求項１】
セントラルインテリジェンス整合のスピーカーを備えた照明具において、そのうち、
開口を備える後筐と、
該後筐の該開口箇所に固定し、該後筐との間には納置空間を備え、且つ中央は該後筐方向に向けて照明孔を凹型に成形し、表面は該照明孔に近い周辺縁箇所に複数個の音孔を穿設する前筐と、
納置空間に設置するスピーカーと、
該照明孔に設置し、更に該照明孔の表面を熱接触する発光モジュールと、
連結信号を発して電子装置の検索に用い、該電子装置が該連結信号によって探し当てて連結した時、該電子装置は無線方式で制御指令を該伝送モジュールへ伝送する伝送モジュールと、
該スピーカー、該発光モジュール及び該伝送モジュールを電気連接し、該伝送モジュールから該制御指令を受信し、該制御指令に基づき該スピーカー、該発光モジュールもしくはその組合を始動して、該発光モジュールによって対応する光源を発し、該スピーカーによって輸出該電子装置がプレイする音源を出力する制御処理モジュールを含むことを特徴とするセントラルインテリジェンス整合のスピーカーを備えた照明具。
【請求項２】
前記伝送モジュールと該電子装置は、ブルートゥースもしくはWiFiによって、無線連結することを特徴とする請求項１記載のセントラルインテリジェンス整合のスピーカーを備えた照明具。
【請求項３】
前記電子装置は、制御プログラムを設置してユーザー操作に用い、無線で発した該制御指令によって該制御処理モジュールは該スピーカーが発した音量を調整し、及び該発光モジュールの色温及び温度を調整することを特徴とする請求項１記載のセントラルインテリジェンス整合のスピーカーを備えた照明具。
【請求項４】
前記前筐の該照明孔の該後筐に対応する一側の表面に、複数の放熱用筋を成形することを特徴とする請求項１記載のセントラルインテリジェンス整合のスピーカーを備えた照明具。
【請求項５】
前記各該放熱用筋の両端は、それぞれ該前筐及び該後筐の方向に向かって延び、且つ該複数の放熱用筋は相互に並列設置することを特徴とする請求項４記載のセントラルインテリジェンス整合のスピーカーを備えた照明具。
【請求項６】
前記セントラルインテリジェンス整合のスピーカーを備えた照明具は、更に二個の該後筐の外壁上に相対設置する固定ユニットを含むことを特徴とする請求項１記載のセントラルインテリジェンス整合のスピーカーを備えた照明具。
【請求項７】
前記各該固定ユニットは、二個の相互に枢設する金属片及び一バネを含み、該バネは該二個の金属片の枢設箇所に設置し、且つそのうちの一個の該金属片は該後筐の外壁上に固定することを特徴とする請求項６記載のセントラルインテリジェンス整合のスピーカーを備えた照明具。
【請求項８】
前記照明孔の内部は、更にレンズ拡散板を設置し、該レンズ拡散板の周辺縁該照明孔の内壁に嵌合し，且つ該レンズ拡散板は該発光モジュールの上に被せることを特徴とする請求項１記載のセントラルインテリジェンス整合のスピーカーを備えた照明具。
【請求項９】
前記発光モジュールは、複数のネジで固定し、且つ該照明孔の表面に熱接触することを特徴とする請求項１記載のセントラルインテリジェンス整合のスピーカーを備えた照明具。
【請求項１０】
セントラルインテリジェンス整合のスピーカーを備えた照明具において、
開口を備える後筐と、 
該後筐の該開口箇所に固定し、該後筐との間には納置空間を備え、且つ中央は該後筐方向に向けて照明孔を凹型成形し、表面の該照明孔に近い周辺縁箇所には複数個の音孔を成形し、且つ該照明孔は該後筐に対応する一側の表面上には複数の放熱用筋を成形し、照明孔の内には更にレンズ拡散板を設置し、該レンズ拡散板の周辺縁は該照明孔の内壁に嵌合する前筐と、
該後筐の外壁上に相対設置し、且つそれぞれは二個の互いに枢設する金属片及びバネを含み、該バネは該二個の金属片の枢設箇所に設置し、且つそのうちの一個の該金属片は該後筐の外壁上に固定する二固定ユニットと、
該納置空間に設置するスピーカーと
基板に複数の発光ダイオードを設置し、該照明孔に設置し、該照明孔の表面を熱接触し、且つ該レンズ拡散板の下に被せる発光モジュールと、
連結信号を発して電子装置の検索に用い、該電子装置が該連結信号に基づき該伝送モジュールを探し、相互に連結した時、該電子装置は無線方式によって制御指令を該伝送モジュールへ伝送する伝送モジュールと
該スピーカー、該発光モジュール及び該伝送モジュールを電気連接し、該伝送モジュールから該制御指令を受信し、該制御指令に基づき該スピーカー、該発光モジュールもしくはその組合を始動し、該発光モジュールによって対応する光源を発し、該スピーカーによって該電子装置がプレイする音源を発する制御処理モジュールを含むことを特徴とする請求項１記載のセントラルインテリジェンス整合のスピーカーを備えた照明具。
【考案の詳細な説明】
【技術分野】
【０００１】
本考案は、照明具に関するもので、特にセントラルインテリジェンス整合のスピーカーを備えた照明具に係る。
【背景技術】
【０００２】
照明具は、人々にとって無くてはならない家庭用品の一つである。今日、科学技術の進歩及び人々の生活水準の向上に伴い、照明具に対する要求も高くなり、その要求に応えるため各種優良な照明具が生まれている。
【０００３】
スピーカーもしくは拡声器と呼ばれるものは、電子信号を音に変換する設備である。スピーカーの優劣を決めるのは、出力する音の品質であるが、各業者が製品を常に改良し続けた結果、今では消費者の音の出力品質に対する高い要求に応えられるようになってきている。
【考案の概要】
【考案が解決しようとする課題】
【０００４】
解決しようとする問題点は、現在の照明具及びスピーカーは絶え間ない改良がされているものの、それらは単一の照明もしくは音出力の機能を備えているだけであり、ユーザーが照明及び音拡声機能を同時に使用したい場合、同時に2つを購入し、照明具及びスピーカーの二種を独立して設置しなければならず、またそれぞれに対応するコントローラーによって照明具及びスピーカーを制御しなければならない。拠って、空間の配置及び設置及び使用において不便である。
【課題を解決するための手段】
【０００５】
本考案は、後筐、前筐、スピーカー、発光モジュール、伝送モジュール、制御処理モジュールを含む。そのうち、後筐は開口を備える。前筐は、後筐の開口箇所に固定し、前筐と後筐の間は納置空間を備え、且つ前筐中央は後筐方向に向けて照明孔を凹型に成形する。前筐表面の照明孔に近い周辺縁箇所には複数個の音孔を穿設する。スピーカーは、納置空間に設置する。発光モジュールは照明孔に設置し、照明孔の表面を熱接触する。伝送モジュールは連結信号を発し、電子装置を探すのに用い、電子装置が結信号によって伝送モジュールを検索して連結した時、電子装置は無線方式で制御指令を伝送モジュールへ伝送する。更に制御処理モジュールはスピーカー、発光モジュール及び伝送モジュールを電気連接し、伝送モジュールから制御指令を受信し、制御指令に基づき該スピーカー、発光モジュールもしくはその組合せを始動し、発光モジュールによって対応する光源を発し、スピーカーによって電子装置がプレイする音源を出力することを最も主要な特徴とする。
【考案の効果】
【０００６】
本考案のセントラルインテリジェンス整合のスピーカーを備えた照明具は、拡声機能と照明機能を整合して一つにし、無線伝送機能を備えた装置によって該照明具を遠隔無線制御し、照明具によって投光及び音声を発するという利点がある。
【図面の簡単な説明】
【０００７】
【図１】本考案のセントラルインテリジェンス整合のスピーカーを備えた照明具の第一指示図である。
【図２】本考案のセントラルインテリジェンス整合のスピーカーを備えた照明具の第二指示図である。
【図３】本考案のセントラルインテリジェンス整合のスピーカーを備えた照明具の第三指示図である。
【図４】本考案のセントラルインテリジェンス整合のスピーカーを備えた照明具の第四指示図である。
【図５】本考案のセントラルインテリジェンス整合のスピーカーを備えた照明具のブロックダイアグラムである。
【図６】本考案のセントラルインテリジェンス整合のスピーカーを備えた照明具の実施例の指示図である。
【考案を実施するための形態】
【０００８】
上述の公知技術の問題に関し、拡声及び照明機能を整合して一つにし、統一して同一の無線コントローラーで制御操作するセントラルインテリジェンス整合のスピーカーを備えた照明具を提供することを本考案の目的とする。
【０００９】
本考案は、即ち、セントラルインテリジェンス整合のスピーカーを備えた照明具を提供する。そのうち、後筐は開口を備える。前筐は後筐の開口箇所に固定し、前筐と後筐の間は納置空間を備える。更に前筐中央は後筐方向に向けて照明孔を凹型に成形し、前筐表面の照明孔の周辺縁に近い箇所に複数個の音孔を成形する。スピーカーは納置空間に設置する。発光モジュールは照明孔に設置し照明孔の表面に熱接触する。伝送モジュールは連結信号を発し、電子装置を検索するのに用い、電子装置が連結信号に基づき伝送モジュール探して連結する、電子装置は無線方式で制御指令を伝送モジュールへ伝送する。更に制御処理モジュールはスピーカー、発光モジュール及び伝送モジュールを電気連接し、伝送モジュールから制御指令を受信し、制御指令に基づき該スピーカー、発光モジュールもしくはその組合せを始動し、発光モジュールによって対応する光源を発し，スピーカーによって電子装置がプレイする音源を出力する。
【００１０】
本考案の目的に基づき、セントラルインテリジェンス整合のスピーカーを備えた照明具を提出し、それは、後筐、前筐、スピーカー、発光モジュール、伝送モジュール、制御処理モジュールを含む。そのうち、後筐は開口を備える。前筐は後筐の開口箇所に固定し、前筐と後筐の間は納置空間を備え、且つ前筐の中央は後筐方向に向けて照明孔を凹型に成形し、前筐表面の照明孔に近い周辺縁箇所は複数個の音孔を成形し、且つ照明孔は該後筐に対応する一側面上に複数の放熱用筋を成形し、照明孔の中には更にレンズ拡散板を設置し、レンズ拡散板の周辺縁は、照明孔内壁に掛合する。二固定ユニットは後筐の外壁上に相対設置し、且つ各固定ユニットは二個の相互に枢設する金属片及び一バネを含み、バネは該二個の金属片の枢設箇所に設置し、且つそのうちの一個の金属片は後筐の外壁上に固定する。スピーカーは納置空間に設置する。発光モジュールは基板上に複数の発光ダイオードを設置する。発光モジュールは照明孔に設置して該照明孔の表面を熱接触し、且つレンズ拡散板の下に被せる。伝送モジュールは連結信号を発して電子装置を検索し、電子装置が連結信号に基づき伝送モジュールを探して連結すると、電子装置は無線方式で制御指令を伝送モジュールへ伝送する。及び制御処理モジュールはスピーカー、発光モジュール及び伝送モジュールを電気連接し、伝送モジュールから制御指令を受信し、制御指令に基づきスピーカー、発光モジュールもしくはその組合せを始動し、発光モジュールによって対応する光源を発し、スピーカーによって電子装置がプレイする音源を出力する。
【００１１】
本考案のセントラルインテリジェンス整合のスピーカーを備えた照明具は、拡声機能と照明機能を整合して一つにし、ユーザーはWiFiもしくはブルートゥース等無線伝送機能を備えた携帯電話、パソコン等装置によって該照明具を遠隔無線制御し、照明具によって対応する投光及び音声を発し、ユーザーが映画を観たり、音楽を聞いたりする時に十分楽しめるようにする。
【００１２】
更に、セントラルインテリジェンス整合のスピーカーを備えた照明具は応用において、リビング/書斎/寝室/オーディオルームに設置し、セントラルインテリジェンス整合のスピーカーを備えた照明具を採用する。更に無線控制システムを連接する。且つ家用テレビ機及び投影機を統合し、映像放送機能を提供する。これらの照明具を家のマルチメディア放送に統合し、当然家にあるビデオ再生器を使用してもよい。
【００１３】
その他、如何なるワイヤレスネットワークWIFI機能の３C装置も使用できる。３C装置の歌曲もしくは映画もしくはビデオ映像はセントラルインテリジェンス整合のスピーカーを備えた照明具に拠ってプレイし、即座に無線でビデオ音声を実施する。特に、現在ネットワーク速度は上がっており、多くの携帯電話システムのメーカーはオンラインレンタルビデオもしくはビデオ購入のサービスを設置している。そのため、いつでも携帯電話の３C装置によって無線プレイを実施し、わざわざビデオ伝送ケーブルとテレビを連接する必要がない。
【００１４】
更に、家中のワイヤレスネットワークはセントラルインテリジェンス整合のスピーカーを備えた照明具と共に繋ぐことができ、如何なるワイヤレスネットワークの家用パソコンでも、すべて制御プログラムによってパソコン内でプレイ中の映像もしくは歌曲のセントラルインテリジェンス整合のスピーカーを備えた照明具内の放送を簡単に使用することができ、ＵＳＢメモリを探すか、もしくはＣＤを焼く時間を省くことができ、且つ同時に３Cの制御ソフトを利用し、照明具音響の投光明暗、及びプレイ音声の音量を制御し、映画を完璧な雰囲気で楽しむことができる。
【実施例】
【００１５】
本考案の技術特徴、内容及び長所とその効果を説明するため、本考案の図式と共に、実施例を挙げる。その中の図式は主旨を説明するために用いるだけであり、本考案の範囲を制限するものではないことをここに宣言しておく。
【００１６】
図１及び図２は、それぞれ本考案のセントラルインテリジェンス整合のスピーカーを備えた照明具の第一指示図、第二指示図、第三指示図、第四指示図及びブロックダイアグラムである。このセントラルインテリジェンス整合のスピーカーを備えた照明具１００は、後筐１０、前筐２０、スピーカー３０、発光モジュール４０、伝送モジュール５０、制御処理モジュール６０、電源モジュール７０、固定ユニット８０及びレンズ拡散板９０を含む。
【００１７】
構造に於いて、後筐１０は丸盆形状の筐体で、開口１１を備える。前筐２０は後筐１０の開口１１箇所に固定し、且つ前筐２０と後筐１０間は納置空間を備え、その納置空間にはスピーカー３０を納置する。また前筐２０中央は後筐１０方向に凹み、照明孔２１を穿設する。その照明孔２１は発光モジュール４０を納置して接触させる。そのうち、納置空間は伝送モジュール５０、制御処理モジュール６０及び電源モジュール７０を納置する。前筐２０表面の照明孔２１に近い周辺縁には複数個の音孔２２を穿設し、スピーカー３０から発した音を直接納置空間外へ出す。その他、前筐２０の照明孔２１には後筐１０に対応する一側表面に、複数の放熱用筋２３を成形する。良好な配置として、各放熱用筋２３の両端はそれぞれ前筐２０及び後筐１０の方向へ延び、且つ複数の放熱用筋２３は互いに並列設置し、それに拠って、照明孔２１の後筐１０に対応する一側面の表面積を増やし、照明孔２１の放熱効率を高める。
【００１８】
更に、固定ユニット８０は、後筐１０の外壁上に相対して設置し、各固定ユニット８０は二個を相互に枢設した金属片８１及びバネ８２を含む。バネ８２は二個の金属片８１の枢設箇所に設置し、二個の金属片８１の間に弾力を形成させる。良好な配置では、二個の金属片８１の間に收縮弾力を備え、且つそのうちの一個の金属片８１はリベット等部品で後筐１０の外壁上に固定する。このようにして二金属片８１の間の收縮弾力を備えることによって別一個のまだ後筐１０に固定していない金属片８１を天井板もしくは壁面の内壁に嵌合する。更に前筐２０の照明孔２１の内には更にレンズ拡散板９０を設置し、そのレンズ拡散板９０の周辺縁は照明孔２１内壁に掛合し、且つレンズ拡散板９０は発光モジュール４０の上に被せる。レンズ拡散板９０は発光モジュール４０が発した光強度を均一に拡散させ、空間輝度のムラを下げる。
【００１９】
上述において，スピーカー３０は鼓膜３１を備える。電気信号を受け取った後のスピーカー３０は該電気信号の電気エネルギーを機械エネルギーに転換し、鼓膜３１を振動させ、鼓膜３１が近隣の空気分子を振動させることによってトーンを発し、前筐２０上に設置した複数個の音孔２２から納置空間外へ伝わる。
【００２０】
上述において、発光モジュール４０は主に複数のネジによって固定し、且つ前筐２０の照明孔２１の表面に熱接触し、発光モジュール４０の発光時に発生した高温熱エネルギーを照明孔２１の後筐１０一側表面上に対応する複数個の放熱用筋２３へ伝え、発光モジュール４０の最高温度を下げ、同時に熱エネルギーを前筐２０上の複数個の音孔２２を通じて拡散し、更に光モジュール４０の使用寿命の延長を保障する。そのうち、その発光モジュール４０は主に基板４１及び複数の発光ダイオード４２を含み、該複数個の発光ダイオード４２は基板４１に設置し、且つ複数個の発光ダイオード４２は基板４１の回路を通じて相互に連接する。
【００２１】
システムにおいて、図５に示すとおり、制御処理モジュール６０はスピーカー３０、発光モジュール４０、伝送モジュール５０及び電源モジュール７０を電気連接する。電源モジュール７０はまた伝送モジュール５０を連接する。電源モジュール７０は電池等の小型電源供給設備であり、照明具１００が商用電源に接続していない時、電源モジュール７０は伝送モジュール５０及び制御処理モジュール６０が運転するのに必要な電力を提供する。伝送モジュール５０はブルートゥース、WiFi等無線伝送装置でもよく、それは主に主動式で連結信号を発し、電子装置２００を検索し、電子装置２００が上記連結信号に基づき伝送モジュール５０を検索して連結した時、電子装置２００は無線方式で制御指令を伝送モジュール５０へ伝送する。そのうち、電子装置２００は無線伝送機能の設備、例としてスマートフォン、パソコン、スマートテレビ等を備える。制御処理モジュール６０はマイクロプロセッサであり、制御指令に基づいてスピーカー３０もしくは発光モジュール４０を単独で始動するか、もしくは制御指令に基づき同時にスピーカー３０及び発光モジュール４０を始動し、発光モジュール４０によって対応する光源を発し、スピーカー３０によって電子装置２００がプレイする音源を出力する。そのうち、電子装置２００は制御プログラムを設置し、ユーザーが操作するのに用い、無線の制御指令を発し、ユーザーにその要求に基づき制御処理モジュール６０が調整したスピーカー３０が発した音量及び発光モジュール４０の色温及び温度を調整制御する。
【００２２】
続いて図６に示すのは、本考案のセントラルインテリジェンス整合のスピーカーを備えた照明具の実施例の指示図である。実用において、ユーザーはそのセントラルインテリジェンス整合のスピーカーを備えた照明具１００を室内に設置する。当照明具１００で照明もしくは音楽をプレイする場合、携帯電話、パソコン等電子装置２００で無線コントロールする。そのうち、該電子装置２００は多数台設置した照明具１００を同時にコントロールすることもできる。例を挙げると、ユーザーが拡声機能を備えた設備によって電子装置２００から流れる音楽を聞く場合、電子装置２００から発した無線制御指令が照明具１００へ届き、照明具１００によって該電子装置がその時プレイしている音源を出力する。ユーザーは照明具１００が出力した音の大きさを自由に調整する。もしくは仮にユーザーが電子装置２００もしくはテレビで映画を見る場合、ユーザーは該電子装置２００で照明具１００を無線コントロールし、照明具１００によって対応する映像音声を出力し、ユーザーは照明具１００が発した光源を調整し、色温及び温度を含めて最良のビデオ音声効果を達成する
【００２３】
上述を総合すると、本考案のセントラルインテリジェンス整合のスピーカーを備えた照明具は、拡声機能と照明機能を整合して一つにし、ユーザーがWiFiもしくはブルートゥース等無線伝送機能を備えた携帯電話、パソコン等装置によって該照明具を遠隔無線コントロールすることで、照明具が対応する投光及び音声を発し、設置もしくはコントロールして非常に実用的で便利である。
【００２４】
以上所述の実施例は本考案の技術思想及び特徴を説明するためだけのものであり、その目的は当該技術に習熟した者が本考案の内容に基づいて実施するかもしれない。拠って本考案の請求範囲を制限することはなく、本考案に提示した本考案の精神に基づいた変化もしくは修飾も、本考案の請求範囲に含むものとする。
【符号の説明】
【００２５】
１００    照明具
１０      後筐
１１      開口
２０      前筐
２１      照明孔
２２      音孔
２３      放熱用筋
３０      スピーカー
３１      鼓膜
４０      発光モジュール
４１      基板
４２      発光ダイオード
５０      伝送モジュール
６０      制御処理モジュール
７０      電源モジュール
８０      固定ユニット
８１      金属片
８２      バネ
９０      レンズ拡散板
２００      電子装置
【図１】
0003196844.tif 000003
【図２】
0003196844.tif 000004
【図３】
0003196844.tif 000005
【図４】
0003196844.tif 000006
【図５】
0003196844.tif 000007
【図６】
0003196844.tif 000008
【手続補正書】
【提出日】平成27年2月6日(2015.2.6)
【手続補正１】
【補正対象書類名】実用新案登録請求の範囲
【補正対象項目名】請求項１
【補正方法】変更
【補正の内容】
【請求項１】
セントラルインテリジェンス整合のスピーカーを備えた照明具において、そのうち、
開口を備える後筐と、
該後筐の該開口箇所に固定し、該後筐との間には納置空間を備え、且つ中央は該後筐方向に向けて照明孔を凹型に成形し、表面は該照明孔に近い周辺縁箇所に複数個の音孔を穿設する前筐と、
納置空間に設置するスピーカーと、
該照明孔に設置し、更に該照明孔の表面を熱接触する発光モジュールと、
連結信号を発して電子装置の検索に用い、該電子装置が該連結信号によって探し当てて連結した時、該電子装置は無線方式で制御指令を該伝送モジュールへ伝送する伝送モジュールと、
該スピーカー、該発光モジュール及び該伝送モジュールを電気連接し、該伝送モジュールから該制御指令を受信し、該制御指令に基づき該スピーカー、該発光モジュールもしくはその組合せを始動して、該発光モジュールによって対応する光源を発し、該スピーカーによって該電子装置がプレイする音源を出力する制御処理モジュールを含むことを特徴とするセントラルインテリジェンス整合のスピーカーを備えた照明具。
【手続補正２】
【補正対象書類名】実用新案登録請求の範囲
【補正対象項目名】請求項１０
【補正方法】変更
【補正の内容】
【請求項１０】
セントラルインテリジェンス整合のスピーカーを備えた照明具において、
開口を備える後筐と、 
該後筐の該開口箇所に固定し、該後筐との間には納置空間を備え、且つ中央は該後筐方向に向けて照明孔を凹型成形し、表面の該照明孔に近い周辺縁箇所には複数個の音孔を成形し、且つ該照明孔は該後筐に対応する一側の表面上には複数の放熱用筋を成形し、照明孔の内には更にレンズ拡散板を設置し、該レンズ拡散板の周辺縁は該照明孔の内壁に嵌合する前筐と、
該後筐の外壁上に相対設置し、且つそれぞれは二個の互いに枢設する金属片及びバネを含み、該バネは該二個の金属片の枢設箇所に設置し、且つそのうちの一個の該金属片は該後筐の外壁上に固定する二固定ユニットと、
該納置空間に設置するスピーカーと
基板に複数の発光ダイオードを設置し、該照明孔に設置し、該照明孔の表面を熱接触し、且つ該レンズ拡散板の下に被せる発光モジュールと、
連結信号を発して電子装置の検索に用い、該電子装置が該連結信号に基づき該伝送モジュールを探し、相互に連結した時、該電子装置は無線方式によって制御指令を該伝送モジュールへ伝送する伝送モジュールと
該スピーカー、該発光モジュール及び該伝送モジュールを電気連接し、該伝送モジュールから該制御指令を受信し、該制御指令に基づき該スピーカー、該発光モジュールもしくはその組合せを始動し、該発光モジュールによって対応する光源を発し、該スピーカーによって該電子装置がプレイする音源を発する制御処理モジュールを含むことを特徴とする請求項１記載のセントラルインテリジェンス整合のスピーカーを備えた照明具。